【手続補正書】
【提出日】平成19年10月17日(2007.10.17)
【手続補正１】
【補正対象書類名】明細書
【補正対象項目名】発明の名称
【補正方法】変更
【補正の内容】
【発明の名称】画像処理装置、その制御方法、及びコンピュータプログラム
【手続補正２】
【補正対象書類名】明細書
【補正対象項目名】特許請求の範囲
【補正方法】変更
【補正の内容】
【特許請求の範囲】
【請求項１】  通信媒体に接続された画像処理装置において、
複数のボックス記憶領域に分割された記憶装置と、
画像データを前記ボックス記憶領域に記憶させる手段と、
前記通信媒体を介して接続されている画像形成装置を選択する装置選択手段と、
前記ボックス記憶領域から読み出した画像データを、前記装置選択手段で選択した画像形成装置へ送信して画像形成させるように制御する制御手段とを備えたことを特徴とする画像処理装置。
【請求項２】  前記装置選択手段は、前記通信媒体を介して接続されている複数の画像形成装置の一覧を表示して、その一覧の中から一つ画像形成装置を選択可能にする手段であることを特徴とする請求項１記載の画像処理装置。
【請求項３】  前記装置選択手段で選択された画像形成装置の性能に関する情報を取得する取得手段と、前記取得手段で取得した前記性能に関する情報に基づいて選択可能なモードを表示してユーザに選択可能にするモード選択手段とを有し、
前記制御手段は、
前記ボックス記憶領域から読み出した画像データを、前記モード選択手段に基づくユーザの選択結果であるモードで、前記選択した画像形成装置を使用して画像形成させることを特徴とする請求項２記載の画像処理装置。
【請求項４】  前記装置選択手段は、前記通信媒体を介して接続されている画像形成可能な画像形成装置の一覧を表示して、その一覧の中から複数の画像形成装置を選択可能にする手段で構成し、
画像出力する枚数または部数を設定する置数入力手段を設け、
前記制御手段は、
前記置数入力手段で設定された画像出力の部数が所定部数よりも大きい場合に、前記装置選択手段で選択した複数の画像形成装置を使用して、前記ボックス記憶領域から読み出した画像データの画像形成を行わせることを特徴とする請求項１記載の画像処理装置。
【請求項５】  前記装置選択手段によって選択された複数の画像形成装置の性能に関する情報を取得する取得手段と、前記取得手段で取得した性能に関する情報に基づいて、各画像形成装置で共通な機能を表示して設定可能にする機能設定手段とを設け、
前記制御手段は、
前記機能設定手段で設定した機能を用い、前記選択した複数の画像形成装置を使用して、前記ボックス記憶領域から読み出した画像データの画像形成を行わせることを特徴とする請求項４記載の画像処理装置。
【請求項６】  複数のボックス記憶領域に分割された記憶装置を有し、通信媒体に接続された画像処理装置の制御方法において、
画像データを前記ボックス記憶領域に記憶させる行程と、
前記通信媒体を介して接続されている画像形成装置を選択する装置選択行程と、
前記ボックス記憶領域から読み出した画像データを、前記装置選択行程で選択した画像形成装置へ送信して画像形成させるように制御する制御行程とを有することを特徴とする画像処理装置の制御方法。
【請求項７】  前記装置選択行程は、前記通信媒体を介して接続されている画像出力可能な画像出力装置の一覧を表示して、その一覧の中から一つ画像形成装置を選択可能にする行程であることを特徴とする請求項６記載の画像処理装置の制御方法。
【請求項８】  前記装置選択行程で選択された画像形成装置の性能に関する情報を取得する取得行程と、前記取得行程で取得した前記性能に関する情報に基づいて選択可能なモードを表示してユーザに選択可能にするモード選択行程とを有し、
前記制御行程は、
前記ボックス記憶領域から読み出した画像データを、前記モード選択行程でのユーザの選択結果であるモードで、前記選択した画像形成装置を使用して画像形成することを特徴とする請求項７記載の画像処理装置の制御方法。
【請求項９】  前記装置選択行程は、前記通信媒体を介して接続されている画像出力可能な画像形成装置の一覧を表示して、その一覧の中から複数の画像形成装置を選択可能にする行程であり、さらに、画像出力する枚数または部数を設定する置数入力行程を有し、
前記制御行程は、
前記置数入力行程で設定された画像出力の部数が所定部数よりも大きい場合に、前記装置選択行程で選択した複数の画像形成装置を使用して、前記ボックス記憶領域から読み出した画像データの画像形成を行わせることを特徴とする請求項６記載の画像処理装置の制御方法。
【請求項１０】  前記装置選択行程によって選択された複数の画像形成装置の性能に関する情報を取得する取得行程と、前記取得行程で取得した性能に関する情報に基づいて、各画像形成装置で共通な機能を表示して設定可能にする機能設定行程とを有し、
前記制御行程は、
前記機能設定行程で設定した機能を用い、前記選択した複数の画像形成装置を使用して、前記ボックス記憶領域から読み出した画像データの画像形成を行わせることを特徴とする請求項９記載の画像処理装置の制御方法。
【請求項１１】  複数のボックス記憶領域に分割された記憶装置を有し通信媒体に接続された画像処理装置に、以下のステップを実行させるコンピュータプログラムであって、
画像データを前記ボックス記憶領域に記憶させるステップと、
前記通信媒体を介して接続されている画像形成装置を選択する装置選択ステップと、
前記ボックス記憶領域から読み出した画像データを、前記装置選択ステップで選択した画像形成装置へ送信して画像形成させるように制御する制御ステップとを有することを特徴とするコンピュータプログラム。
【請求項１２】  前記装置選択ステップは、前記通信媒体を介して接続されている画像出力可能な画像出力装置の一覧を表示して、その一覧の中から一つ画像形成装置を選択可能にする内容であることを特徴とする請求項１１記載のコンピュータプログラム。
【請求項１３】  前記装置選択ステップで選択された画像形成装置の性能に関する情報を取得する取得ステップと、前記取得ステップで取得した前記性能に関する情報に基づいて選択可能なモードをユーザに表示して選択可能にするモード選択ステップとを有し、
前記制御ステップは、
前記ボックス記憶領域から読み出した画像データを、前記モード選択ステップでのユーザの選択結果であるモードで、前記選択した画像形成装置を使用して画像形成させる内容であることを特徴とする請求項１２記載のコンピュータプログラム。
【請求項１４】  前記装置選択ステップは、前記通信媒体を介して接続されている画像出力可能な画像形成装置の一覧を表示して、その一覧の中から複数の画像形成装置を選択可能にする内容であり、さらに、画像出力する枚数または部数を設定する置数入力ステップを有し、
前記制御ステップは、
前記置数入力ステップで設定された画像出力の部数が所定部数よりも大きい場合に、前記装置選択ステップで選択した複数の画像形成装置を使用して、前記ボックス記憶領域から読み出した画像データの画像形成を行わせる内容であることを特徴とする請求項１１記載のコンピュータプログラム。
【請求項１５】  前記装置選択ステップによって選択された複数の画像形成装置の性能に関する情報を取得する取得ステップと、前記取得ステップで取得した性能に関する情報に基づいて、各画像形成装置で共通な機能を表示して設定可能にする機能設定ステップとを有し、
前記制御ステップは、
前記機能設定ステップで設定した機能を用い、前記選択した複数の画像形成装置を使用して、前記ボックス記憶領域から読み出した画像データの画像形成を行わせる内容であることを特徴とする請求項１４記載のコンピュータプログラム。
【手続補正３】
【補正対象書類名】明細書
【補正対象項目名】０００１
【補正方法】変更
【補正の内容】
【０００１】
【発明の属する技術分野】
本発明は、インターネット、イントラネット等の通信媒体に接続された画像処理装置、その制御方法、及びコンピュータプログラムに関するものである。
【手続補正４】
【補正対象書類名】明細書
【補正対象項目名】０００７
【補正方法】変更
【補正の内容】
【０００７】
本発明は上記従来の問題点に鑑み、ボックス文書のプリント時にネットワーク上のプリンタを指定してプリントを行えるようにすることで、ボックスプリントの機能性を向上させることができ、また、ネットワーク上のプリンタとローカルプリンタを同時動作させることでボックスプリントの生産性を向上させることが可能な画像処理装置、その制御方法、及びコンピュータプログラムを提供することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明の画像処理装置は、通信媒体に接続された画像処理装置において、複数のボックス記憶領域に分割された記憶装置と、画像データを前記ボックス記憶領域に記憶させる手段と、前記通信媒体を介して接続されている画像形成装置を選択する装置選択手段と、前記ボックス記憶領域から読み出した画像データを、前記装置選択手段で選択した画像形成装置へ送信して画像形成させるように制御する制御手段とを備えたことを特徴とする。
【手続補正６】
【補正対象書類名】明細書
【補正対象項目名】０００９
【補正方法】変更
【補正の内容】
【０００９】
本発明の画像処理装置の制御方法は、複数のボックス記憶領域に分割された記憶装置を有し、通信媒体に接続された画像処理装置の制御方法において、画像データを前記ボックス記憶領域に記憶させる行程と、前記通信媒体を介して接続されている画像形成装置を選択する装置選択行程と、前記ボックス記憶領域から読み出した画像データを、前記装置選択行程で選択した画像形成装置へ送信して画像形成させるように制御する制御行程とを有することを特徴とする。
【手続補正７】
【補正対象書類名】明細書
【補正対象項目名】００１０
【補正方法】変更
【補正の内容】
【００１０】
本発明のコンピュータプログラムは、複数のボックス記憶領域に分割された記憶装置を有し通信媒体に接続された画像処理装置に、以下のステップを実行させるコンピュータプログラムであって、画像データを前記ボックス記憶領域に記憶させるステップと、前記通信媒体を介して接続されている画像形成装置を選択する装置選択ステップと、前記ボックス記憶領域から読み出した画像データを、前記装置選択ステップで選択した画像形成装置へ送信して画像形成させるように制御する制御ステップとを有することを特徴とする。
【手続補正８】
【補正対象書類名】明細書
【補正対象項目名】００６３
【補正方法】変更
【補正の内容】
【００６３】
【発明の効果】
以上説明したように本発明によれば、ボックス記憶領域に格納されている画像データの画像形成処理、例えばプリント処理（ボックスプリント）を行うに際し、通信媒体上の画像形成装置を指定してプリント処理を行えるようになり、ボックスプリントの機能性を向上させることができる。また、通信媒体上の画像形成装置とローカルな画像形成装置を同時動作させることで、ボックスプリントの生産性を向上させることが可能になる。